(57)【特許請求の範囲】
【請求項１】
無線通信システムに用いられる基地局で実行される方法であって、前記方法は、
改良物理下り制御チャネル（enhanced physical downlink control channel)(ePDCCH)送信の型の指示（indication）を、ユーザ機器（user equipment)(UE）へ送信し、
前記ePDCCH送信に対して割り当てられた物理リソースブロック(physical resource block)(PRB)対の数の指示を、前記UEへ送信し、
前記ePDCCH送信の型は、局部型送信(localized transmission)又は分散型送信(distributed transmission)のいずれか一方からなり、
前記ePDCCH送信に対して割り当てられたPRB対の数の指示は、２又は３ビットで伝達され、
前記ePDCCH送信の型の指示は、１ビットで伝達され、
前記ePDCCH送信の型の指示、及び、前記ePDCCH送信に対して割り当てられたPRB対の数の指示は、無線リソース制御(radio resource control)(RRC)シグナリング経由で送信され、
前記ePDCCH送信の型の指示、及び、前記ePDCCH送信に対して割り当てられたPRB対の数の指示は、サブフレームからサブフレームへ動的に指示され、
前記ePDCCH送信のために確保されるが前記ePDCCH送信に使用されないPRB対は、物理下り共通チャネル（physical downlink shared channel)(PDSCH)送信のために使用され、
前記ePDCCH送信の型が前記局部型送信である場合、各サブフレーム内の前記PRB対の初期位置を決定するために、所定の静的オフセット値（ＮＥＲＰＲＢ）と共に用いられる動的オフセット値（ＹＬＴｏｆｆｓｅｔ，ｋ）を、前記RRCシグナリング経由で前記UEへさらに送信する。
【請求項２】
無線通信システムに用いられるユーザ機器（user equipment)(UE）で実行される方法であって、前記方法は、
改良物理下り制御チャネル（enhanced physical downlink control channel)(ePDCCH)送信の型の指示（indication）を、基地局から受信し、
前記ePDCCH送信に対して割り当てられた物理リソースブロック(physical resource block)(PRB)対の数の指示を、前記基地局から受信し、
前記ePDCCH送信の型は、局部型送信(localized transmission)又は分散型送信(distributed transmission)のいずれか一方からなり、
前記ePDCCH送信に対して割り当てられたPRB対の数の指示は、２又は３ビットで伝達され、
前記ePDCCH送信の型の指示は、１ビットで伝達され、
前記ePDCCH送信の型の指示、及び、前記ePDCCH送信に対して割り当てられたPRB対の数の指示は、無線リソース制御(radio resource control)(RRC)シグナリング経由で受信され、
前記ePDCCH送信の型の指示、及び、前記ePDCCH送信に対して割り当てられたPRB対の数の指示は、サブフレームからサブフレームへ動的に指示を受け、
前記ePDCCH送信のために確保されるが前記ePDCCH送信に使用されないPRB対は、物理下り共通チャネル（physical downlink shared channel)(PDSCH)送信のために使用され、
前記ePDCCH送信の型が前記局部型送信である場合、各サブフレーム内の前記PRB対の初期位置を決定するために、所定の静的オフセット値（ＮＥＲＰＲＢ）と共に用いられる動的オフセット値（ＹＬＴｏｆｆｓｅｔ，ｋ）を、前記RRCシグナリング経由で前記基地局からさらに受信する。
【請求項３】
無線通信システムで実行される方法であって、前記方法は、
改良物理下り制御チャネル（enhanced physical downlink control channel)(ePDCCH)送信の型の指示（indication）を、基地局からユーザ機器（user equipment)(UE）へ送信し、
前記ePDCCH送信に対して割り当てられた物理リソースブロック(physical resource block)(PRB)対の数の指示を、前記基地局から前記UEへ送信し、
前記ePDCCH送信の型は、局部型送信(localized transmission)又は分散型送信(distributed transmission)のいずれか一方からなり、
前記ePDCCH送信に対して割り当てられたPRB対の数の指示は、２又は３ビットで伝達され、
前記ePDCCH送信の型の指示は、１ビットで伝達され、
前記ePDCCH送信の型の指示、及び、前記ePDCCH送信に対して割り当てられたPRB対の数の指示は、無線リソース制御(radio resource control)(RRC)シグナリング経由で送信され、
前記ePDCCH送信の型の指示、及び、前記ePDCCH送信に対して割り当てられたPRB対の数の指示は、サブフレームからサブフレームへ動的に指示され、
前記ePDCCH送信のために確保されるが前記ePDCCH送信に使用されないPRB対は、物理下り共通チャネル（physical downlink shared channel)(PDSCH)送信のために使用され、
前記ePDCCH送信の型が前記局部型送信である場合、各サブフレーム内の前記PRB対の初期位置を決定するために、所定の静的オフセット値（ＮＥＲＰＲＢ）と共に用いられる動的オフセット値（ＹＬＴｏｆｆｓｅｔ，ｋ）を、前記RRCシグナリング経由で前記基地局から前記UEへさらに送信する。
【請求項４】
無線通信システムに用いられる基地局であって、前記基地局は、
改良物理下り制御チャネル（enhanced physical downlink control channel)(ePDCCH)送信の型の指示（indication）、及び、前記ePDCCH送信に対して割り当てられた物理リソースブロック(physical resource block)(PRB)対の数の指示をユーザ機器（user equipment)(UE）へ送信する送信装置を備え、
前記ePDCCH送信の型は、局部型送信(localized transmission)又は分散型送信(distributed transmission)のいずれか一方からなり、
前記ePDCCH送信に対して割り当てられたPRB対の数の指示は、２又は３ビットで伝達され、
前記ePDCCH送信の型の指示は、１ビットで伝達され、
前記ePDCCH送信の型の指示、及び、前記ePDCCH送信に対して割り当てられたPRB対の数の指示は、無線リソース制御(radio resource control)(RRC)シグナリング経由で送信され、
前記ePDCCH送信の型の指示、及び、前記ePDCCH送信に対して割り当てられたPRB対の数の指示は、サブフレームからサブフレームへ動的に指示され、
前記ePDCCH送信のために確保されるが前記ePDCCH送信に使用されないPRB対は、物理下り共通チャネル（physical downlink shared channel)(PDSCH)送信のために使用され、
前記ePDCCH送信の型が前記局部型送信である場合、各サブフレーム内の前記PRB対の初期位置を決定するために、所定の静的オフセット値（ＮＥＲＰＲＢ）と共に用いられる動的オフセット値（ＹＬＴｏｆｆｓｅｔ，ｋ）を、前記RRCシグナリング経由で前記UEへさらに送信する。
【請求項５】
無線通信システムに用いられるユーザ機器（user equipment)(UE）であって、前記ＵＥは、
改良物理下り制御チャネル（enhanced physical downlink control channel)(ePDCCH)送信の型の指示（indication）、及び、前記ePDCCH送信に対して割り当てられた物理リソースブロック(physical resource block)(PRB)対の数の指示を基地局から受信する受信装置を備え、
前記ePDCCH送信の型は、局部型送信(localized transmission)又は分散型送信(distributed transmission)のいずれか一方からなり、
前記ePDCCH送信に対して割り当てられたPRB対の数の指示は、２又は３ビットで伝達され、
前記ePDCCH送信の型の指示は、１ビットで伝達され、
前記ePDCCH送信の型の指示、及び、前記ePDCCH送信に対して割り当てられたPRB対の数の指示は、無線リソース制御(radio resource control)(RRC)シグナリング経由で受信され、
前記ePDCCH送信の型の指示、及び、前記ePDCCH送信に対して割り当てられたPRB対の数の指示は、サブフレームからサブフレームへ動的に指示を受け、
前記ePDCCH送信のために確保されるが前記ePDCCH送信に使用されないPRB対は、物理下り共通チャネル（physical downlink shared channel)(PDSCH)送信のために使用され、
前記ePDCCH送信の型が前記局部型送信である場合、各サブフレーム内の前記PRB対の初期位置を決定するために、所定の静的オフセット値（ＮＥＲＰＲＢ）と共に用いられる動的オフセット値（ＹＬＴｏｆｆｓｅｔ，ｋ）を、前記RRCシグナリング経由で前記基地局からさらに受信する。
【請求項６】
無線通信システムは、
改良物理下り制御チャネル（enhanced physical downlink control channel)(ePDCCH)送信の型の指示（indication）、及び、前記ePDCCH送信に対して割り当てられた物理リソースブロック(physical resource block)(PRB)対の数の指示を送信する基地局と、
前記ePDCCH送信の型の指示、及び、前記ePDCCH送信に対して割り当てられたPRB対の数の指示を受信するユーザ機器（user equipment)(UE）と、を備え、
前記ePDCCH送信の型は、局部型送信(localized transmission)又は分散型送信(distributed transmission)のいずれか一方からなり、
前記ePDCCH送信に対して割り当てられたPRB対の数の指示は、２又は３ビットで伝達され、
前記ePDCCH送信の型の指示は、１ビットで伝達され、
前記ePDCCH送信の型の指示、及び、前記ePDCCH送信に対して割り当てられたPRB対の数の指示は、無線リソース制御(radio resource control)(RRC)シグナリング経由で送信され、
前記ePDCCH送信の型の指示、及び、前記ePDCCH送信に対して割り当てられたPRB対の数の指示は、サブフレームからサブフレームへ動的に指示され、
前記ePDCCH送信のために確保されるが前記ePDCCH送信に使用されないPRB対は、物理下り共通チャネル（physical downlink shared channel)(PDSCH)送信のために使用され、
前記ePDCCH送信の型が前記局部型送信である場合、各サブフレーム内の前記PRB対の初期位置を決定するために、所定の静的オフセット値（ＮＥＲＰＲＢ）と共に用いられる動的オフセット値（ＹＬＴｏｆｆｓｅｔ，ｋ）を、前記RRCシグナリング経由で前記基地局から前記UEへさらに送信する。
【発明の詳細な説明】
【技術分野】
【０００１】
本発明は、広く、無線通信、特に、無線ネットワーク内の制御シグナリング（control signaling）送信におけるリソース割り当てのための方法及び装置に関する。
【背景技術】
【０００２】
広く展開された無線の音声及びデータ通信システムは、利用可能なシステムリソース（例えば、帯域幅及び送信電力）を共有することにより複数のユーザとの通信を支援できる多元接続方式（multiple-access systems）を含む。例としては、符号分割多元接続(code division multiple access)(CDMA)方式、時分割多元接続(time division multiple access)(TDMA)方式、周波数分割多元接続(frequency division multiple access)(FDMA)方式、3GPPロング・ターム・エボリューション(Long Term Evolution)(LTE)方式、及び直交周波数分割多元接続(orthogonal frequency division multiple access)(OFDMA)方式を含む。
【０００３】
一般に、無線多元接続通信方式は、複数の無線端末、すなわちユーザ機器（user equipment, UE）装置との通信を同時に支援できる。各ＵＥは、１以上の基地局からダウンリンク（downlink）を経由して情報（communications）を受信し、アップリンク（uplink）を経由してもとの基地局へ情報（communications）を送信する。通信リンクは、単一入力単一出力（single-in-single-out)(SISO)、多重入力単一出力（multiple-in-single-out)(MISO)又は多重入力多重出力（multiple-in-multiple-out)(MIMO)システムを経由して確立される。
【先行技術文献】
【非特許文献】
【０００４】
【非特許文献１】3GPP Radio Layer, [2013年１月24日検索], インターネット (URL:http://www.3gpp.org/RAN1-Radio-layer-1)
【発明の概要】
【発明が解決しようとする課題】
【０００５】
上記のようなシステムにおいて、制御シグナリングチャネル（control signaling channel）は、他の設定、働き及びシグナリングの目的と同様に、無線スペクトル（wireless radio spectrum）を共有するＵＥに対する送信リソースの割り当てに広く用いられている。制御シグナリングチャネルの一例は、3GPP LTE 仕様書の中で定義される物理下り制御チャネル（physical downlink control channel)(PDCCH)である。
【０００６】
より高度かつより高い容量の無線多元接続通信方式へ発展する中で、制御チャネル容量と機能（capabilities）の強化に対応するための要求がある。特に、3GPP Radio Layer 1 (RAN1) ワークグループは、以下の設計要求を備える改良（enhanced） PDCCH (ePDCCH)仕様書を開発している。
・増加した制御チャネル容量をサポートできること
・周波数領域（frequency-domain）内部セル干渉調整（inter-cell interference coordination )(ICIC)をサポートできること
・制御チャネルリソースの改良された空間的な再利用を達成できること
・ビーム形成及び／又は多様性をサポートできること
・新キャリア型（new carrier types）上で、かつ、マルチキャスト−ブロードキャスト単一周波数ネットワーク（multicast-broadcast single frequency network)(MBSFN)サブフレームで動作（operate）できること
・既存ＵＥと同じキャリアに共存できること、及び
・望ましくは、周波数選択性（frequency-selectively）が計画されるべきであり、ることと、内部セル干渉を軽減できること
【０００７】
ある態様は、RAN1により同意されたフレームワークの範囲で、ePDCCHのためのいくつかの上記要求に対処することを対象とされる。特に、3GPP RAN1は、ePDCCHは純粋な周波数分割多重送信（frequency division multiplexing)(FDM)の方法で、物理下り共通チャネル（physical downlink shared channel)(PDSCH)を用いて多重送信されるべきこと、ePDCCHは物理リソースブロック（physical resource block)(PRB) 対（pair）を占有するべきであり、PRB対（PRB-pair）の範囲内でPDSCHを用いて多重送信されるべきでないことに同意していた。
【０００８】
それ故、ある態様の特定の目的は、ePDCCH送信についてPRB対の割り当てのＵＥに通知するために、ＵＥにＰＲＢ指示（PRB indication）を提供する基地局のために効果的かつ効率的な方法を提供することである。
【０００９】
関連する課題は、ＵＥが、ePDCCHの範囲内で受信された関連のあるシグナリング情報を特定し、逆多重化（demultiplex）できるようにすることである。既存のＬＴＥ標準は、ＵＥを意図したシグナリングを特定するために、規定のPDCCHの探索空間の探索を行うＵＥによるシグナリングの“ブラインド復号（blind decoding）”を提供する。既存のPDCCH探索空間設計は、制御チャネル要素（control channel elements)(CCE)と集約レベル（aggregation levels)(AL)に基づくものである。既存のPDCCH設計は、制御情報の柔軟かつ効率的な送信を提供する十分に実績のある技術である。それ故、既存の設計で達成したことを基礎としたePDCCHを用いた改良設計が望ましい。
【００１０】
新たな合意によれば、ePDCCHは、改良(enhanced)ＣＣＥ(eCCE)データ構造、又は、多数のeCCEの集約を経由して送信される。それ故、eCCEがePDCCH探索空間の構築の基本単位であることは理にかなっている。しかしながら、合成eCCE、サポートされた集約レベル、及び、eCCE内で運ばれる下り制御情報（Downlink Control Information)(DCI)メッセージのＵＥによるブラインド復号を可能とする手順を含めて、詳細に探索空間設計を定義することが残されている。
【００１１】
適切なePDCCH探索空間を定義する際に考慮される少なくとも以下の要素が望ましいと考えられる。
・仕様書に暗に定義されるeCCEインデックスと関連するアンテナポート（antenna port）をサポートする能力
・ブロッキング確率の最小化
・ブラインド復号の複雑性の最小化
・ePDCCH送信に対して割り当てられたPRB対の数に対応する能力、及び
・PRB対の範囲内でeCCEsの異なる数をサポートする能力
【００１２】
ある態様の追加の目的は、１以上の上記要求要素及び特徴に取り組み、ePDCCH探索空間設計とブラインド復号の関連方法を提供することである。
【課題を解決するための手段】
【００１３】
本発明の具体的な態様において、本発明は、このような課題を解決させ、そこから、目的は、制御チャネル容量と機能を向上させることができる基地局、ユーザ機器 (UE)及び無線通信システムで実行される方法、並びに、基地局、ユーザ機器 (UE)及び無線通信システムを提供することである。
【００１４】
上記を鑑みて、本発明の態様によれば、無線通信システムに用いられる基地局で実行される方法が提供され、前記方法は、
改良物理下り制御チャネル（enhanced physical downlink control channel)(ePDCCH)送信の型の指示（indication）を、ユーザ機器（user equipment)(UE）へ送信し、前記ePDCCH送信の型は、局部型送信(localized transmission)又は分散型送信(distributed transmission)のいずれか一方からなり、
前記ePDCCH送信に対して割り当てられた物理リソースブロック(physical resource block)(PRB)対の数の指示を、前記UEへ送信し、前記ePDCCH送信に対して割り当てられたPRB対の数の指示は、２又は３ビットで伝達される。
【００１５】
本発明の他の態様によれば、無線通信システムに用いられるユーザ機器（user equipment)(UE）で実行される方法が提供され、前記方法は、
改良物理下り制御チャネル（enhanced physical downlink control channel)(ePDCCH)送信の型の指示（indication）を、基地局から受信し、前記ePDCCH送信の型は、局部型送信(localized transmission)又は分散型送信(distributed transmission)のいずれか一方からなり、
前記ePDCCH送信に対して割り当てられた物理リソースブロック(physical resource block)(PRB)対の数の指示を、前記基地局から受信し、前記ePDCCH送信に対して割り当てられたPRB対の数の指示は、２又は３ビットで伝達される。
【００１６】
本発明のもう一つの態様によれば、無線通信システムで実行される方法が提供され、前記方法は、
改良物理下り制御チャネル（enhanced physical downlink control channel)(ePDCCH)送信の型の指示（indication）を、基地局からユーザ機器（user equipment)(UE）へ送信し、前記ePDCCH送信の型は、局部型送信(localized transmission)又は分散型送信(distributed transmission)のいずれか一方からなり、
前記ePDCCH送信に対して割り当てられた物理リソースブロック(physical resource block)(PRB)対の数の指示を、前記基地局から前記UEへ送信し、前記ePDCCH送信に対して割り当てられたPRB対の数の指示は、２又は３ビットで伝達される。
【００１７】
本発明のもう一つの態様によれば、無線通信システムに用いられる基地局が提供され、前記基地局は、
改良物理下り制御チャネル（enhanced physical downlink control channel)(ePDCCH)送信の型の指示（indication）、及び、前記ePDCCH送信に対して割り当てられた物理リソースブロック(physical resource block)(PRB)対の数の指示をユーザ機器（user equipment)(UE）へ送信する送信装置を備え、
前記ePDCCH送信の型は、局部型送信(localized transmission)又は分散型送信(distributed transmission)のいずれか一方からなり、
前記ePDCCH送信に対して割り当てられたPRB対の数の指示は、２又は３ビットで伝達される。
【００１８】
本発明のもう一つの態様によれば、無線通信システムに用いられるユーザ機器（user equipment)(UE）が提供され、前記ＵＥは、
改良物理下り制御チャネル（enhanced physical downlink control channel)(ePDCCH)送信の型の指示（indication）、及び、前記ePDCCH送信に対して割り当てられた物理リソースブロック(physical resource block)(PRB)対の数の指示を基地局から受信する受信装置を備え、
前記ePDCCH送信の型は、局部型送信(localized transmission)又は分散型送信(distributed transmission)のいずれか一方からなり、
前記ePDCCH送信に対して割り当てられたPRB対の数の指示は、２又は３ビットで伝達される。
【００１９】
本発明のもう一つの態様によれば、無線通信システムが提供され、
改良物理下り制御チャネル（enhanced physical downlink control channel)(ePDCCH)送信の型の指示（indication）、及び、前記ePDCCH送信に対して割り当てられた物理リソースブロック(physical resource block)(PRB)対の数の指示を送信する基地局と、
ePDCCH送信の型の指示、及び、前記ePDCCH送信に対して割り当てられたPRB対の数の指示を受信するユーザ機器（user equipment)(UE）と、を備え、
前記ePDCCH送信の型は、局部型送信(localized transmission)又は分散型送信(distributed transmission)のいずれか一方からなり、
前記ePDCCH送信に対して割り当てられたPRB対の数の指示は、２又は３ビットで伝達される。
【００２０】
本発明のもう一つの態様によれば、無線通信システムに用いられる基地局で実行される方法が提供され、前記方法は、
ＹLToffset,k 及び ＰLTk を、ユーザ機器（user equipment)(UE)へ送信し、
ＹLToffset,k は、ｋ番目のサブフレーム内に、局部型（localized）改良物理下り制御チャネル（enhanced physical downlink control channel)(ePDCCH)送信に割り当てられた物理リソースブロック(physical resource block)(PRB)対の位置に対する第２のオフセットＹLTkを決定するためのシグナリングパラメータであり、
ＰLTk は、ｋ番目のサブフレーム内に、局部型ePDCCH送信に割り当てられたPRB対の数を示すためのシグナリングパラメータである。
【００２１】
本発明のもう一つの態様によれば、無線通信システムに用いられるユーザ機器（user equipment)(UE)で実行される方法が提供され、前記方法は、
ＹLToffset,k 及び ＰLTk を、基地局から受信し、
ＹLToffset,k は、ｋ番目のサブフレーム内に、局部型（localized）改良物理下り制御チャネル（enhanced physical downlink control channel)(ePDCCH)送信に割り当てられた物理リソースブロック(physical resource block)(PRB)対の位置に対する第２のオフセットＹLTkを決定するためのシグナリングパラメータであり、
ＰLTk は、ｋ番目のサブフレーム内に、局部型ePDCCH送信に割り当てられたPRB対の数を示すためのシグナリングパラメータである。
【００２２】
本発明のもう一つの態様によれば、無線通信システムで実行される方法が提供され、前記方法は、
ＹLToffset,k 及び ＰLTk を、基地局からユーザ機器（user equipment)(UE)へ送信し、
ＹLToffset,k は、ｋ番目のサブフレーム内に、局部型（localized）改良物理下り制御チャネル（enhanced physical downlink control channel)(ePDCCH)送信に割り当てられた物理リソースブロック(physical resource block)(PRB)対の位置に対する第２のオフセットＹLTkを決定するためのシグナリングパラメータであり、
ＰLTk は、ｋ番目のサブフレーム内に、局部型ePDCCH送信に割り当てられたPRB対の数を示すためのシグナリングパラメータである。
【００２３】
本発明のもう一つの態様によれば、無線通信システムに用いられる基地局が提供され、前記基地局は、
ＹLToffset,k 及び ＰLTk を、ユーザ機器（user equipment)(UE)へ送信する送信装置を備え、
ＹLToffset,k は、ｋ番目のサブフレーム内に、局部型（localized）改良物理下り制御チャネル（enhanced physical downlink control channel)(ePDCCH)送信に割り当てられた物理リソースブロック(physical resource block)(PRB)対の位置に対する第２のオフセットＹLTkを決定するためのシグナリングパラメータであり、
ＰLTk は、ｋ番目のサブフレーム内に、局部型ePDCCH送信に割り当てられたPRB対の数を示すためのシグナリングパラメータである。
【００２４】
本発明のもう一つの態様によれば、無線通信システムに用いられるユーザ機器（user equipment)(UE)が提供され、前記ＵＥは、
ＹLToffset,k 及び ＰLTk を、基地局から受信する受信装置を備え、
ＹLToffset,k は、ｋ番目のサブフレーム内に、局部型（localized）改良物理下り制御チャネル（enhanced physical downlink control channel)(ePDCCH)送信に割り当てられた物理リソースブロック(physical resource block)(PRB)対の位置に対する第２のオフセットＹLTkを決定するためのシグナリングパラメータであり、
ＰLTk は、ｋ番目のサブフレーム内に、局部型ePDCCH送信に割り当てられたPRB対の数を示すためのシグナリングパラメータである。
【００２５】
本発明のもう一つの態様によれば、無線通信システムが提供され、
ＹLToffset,k 及び ＰLTk を送信する基地局と、
ＹLToffset,k 及び ＰLTk を受信するユーザ機器（user equipment)(UE)と、を備え、
ＹLToffset,k は、ｋ番目のサブフレーム内に、局部型（localized）改良物理下り制御チャネル（enhanced physical downlink control channel)(ePDCCH)送信に割り当てられた物理リソースブロック(physical resource block)(PRB)対の位置に対する第２のオフセットＹLTkを決定するためのシグナリングパラメータであり、
ＰLTk は、ｋ番目のサブフレーム内に、局部型ePDCCH送信に割り当てられたPRB対の数を示すためのシグナリングパラメータである。
【００２６】
本発明のもう一つの態様によれば、無線通信システムに用いられる基地局で実行される方法が提供され、前記方法は、
ユーザ機器(UE)へＰＤＴｋ を送信し、
ＰＤＴｋ は、ｋ番目のサブフレーム内に、分散型（distributed）改良物理下り制御チャネル（enhanced physical downlink control channel)(ePDCCH)送信に割り当てられた物理リソースブロック(physical resource block)(PRB)対の数を指示するためのシグナリングパラメータである。
【００２７】
本発明のもう一つの態様によれば、無線通信システムに用いられるユーザ機器(UE)で実行される方法が提供され、前記方法は、
基地局からＰＤＴｋ を受信し、
ＰＤＴｋ は、ｋ番目のサブフレーム内に、分散型（distributed）改良物理下り制御チャネル（enhanced physical downlink control channel)(ePDCCH)送信に割り当てられた物理リソースブロック(physical resource block)(PRB)対の数を指示するためのシグナリングパラメータである。
【００２８】
本発明のもう一つの態様によれば、無線通信システムで実行される方法が提供され、前記方法は、
基地局からユーザ機器(UE)へＰＤＴｋ を送信し、
ＰＤＴｋ は、ｋ番目のサブフレーム内に、分散型（distributed）改良物理下り制御チャネル（enhanced physical downlink control channel)(ePDCCH)送信に割り当てられた物理リソースブロック(physical resource block)(PRB)対の数を指示するためのシグナリングパラメータである。
【００２９】
本発明のもう一つの態様によれば、無線通信システムに用いられる基地局が提供され、前記基地局は、
ユーザ機器(UE)へＰＤＴｋ を送信する送信装置を備え、
ＰＤＴｋ は、ｋ番目のサブフレーム内に、分散型（distributed）改良物理下り制御チャネル（enhanced physical downlink control channel)(ePDCCH)送信に割り当てられた物理リソースブロック(physical resource block)(PRB)対の数を指示するためのシグナリングパラメータである。
【００３０】
本発明のもう一つの態様によれば、無線通信システムに用いられるユーザ機器(UE)が提供され、前記UEは、
基地局からＰＤＴｋ を受信する受信装置を備え、
ＰＤＴｋ は、ｋ番目のサブフレーム内に、分散型（distributed）改良物理下り制御チャネル（enhanced physical downlink control channel)(ePDCCH)送信に割り当てられた物理リソースブロック(physical resource block)(PRB)対の数を指示するためのシグナリングパラメータである。
【００３１】
本発明のもう一つの態様によれば、無線通信システムが提供され、
ＰＤＴｋ を送信する基地局と、
ＰＤＴｋ を受信するユーザ機器(UE)と、を備え、
ＰＤＴｋ は、ｋ番目のサブフレーム内に、分散型（distributed）改良物理下り制御チャネル（enhanced physical downlink control channel)(ePDCCH)送信に割り当てられた物理リソースブロック(physical resource block)(PRB)対の数を指示するためのシグナリングパラメータである。
【００３２】
一態様は、基地局から改良物理下り制御チャネル（enhanced physical downlink control channel)(ePDCCH)送信に割り当てられたリソースを特定するための方法を提供し、前記方法は、
物理下り共通チャネル(Physical Downlink Shared Channel)(PDSCH)送信について一般に構成されたリソースの範囲内からePDCCH送信のためのリソースを確保し、前記確保されたリソースは、無線送信データ部内の位置及び前記確保されたリソースの量により特徴付けられ、
前記無線送信データ部の範囲内の位置を示す情報、及び／又は、所定のシグナリングメカニズム(predetermined signaling mechanism)を経由してユーザ機器(UE)装置へ、前記確保されたリソースの量を示す情報を送信する。
【００３３】
実施形態において、前記無線送信データ部は、サブフレームであり、前記ePDCCH送信のために確保されたリソースは、前記サブフレーム内の１以上の物理リソースブロック(physical resource block)(PRB)対を含む。前記ePDCCH送信のために確保されたリソースは、前記サブフレーム内で周波数副搬送波（frequency subcarriers）の隣接するグループを占有する少なくとも２つのPRB対(PRB pairs)を含み得る。
【００３４】
前記サブフレーム内の位置を示す情報は、オフセット値を示す情報、及び、前記確保されたＰＲＢ対の数を示す情報を含む前記確保されたリソースの量を示す情報を含み得る。
前記オフセット値を示す情報は、少なくとも２つのＰＲＢ対の初期ＰＲＢ対を特定できる。
いくつかの実施形態では、前記オフセット値を示す情報は、例えば、前記サブフレーム内の前記初期ＰＲＢ対の位置を特定する、前記サブフレーム内の所定の静的オフセット値(static offset value)に関連した前記初期ＰＲＢ対の位置である動的オフセット値を含む。静的オフセット値は、１以上の隣接無線セルを用いた内部セル干渉調整（Inter-Cell Interference Coordination)(ICIC)を提供するために予め定められ得る。
【００３５】
いくつかの実施形態では、ePDCCH送信のために確保されたリソースは、前記サブフレーム内で周波数副搬送波（frequency subcarriers）の隣接しないグループを占有する少なくとも２つのＰＲＢ対を含む。所定の周波数副搬送波間隔は、少なくとも２つのＰＲＢ対の連続するＰＲＢ対の間に提供され得る。いくつかの実施形態では、前記所定の周波数副搬送波間隔は、統一された周波数間隔である。前記確保されたリソースの量を示す情報は、前記確保されたＰＲＢ対の数を示す情報を含み得る。前記確保されたリソースは、いくつかの実施形態において、１以上の隣接無線セルを用いたＩＣＩＣを提供するために選択されるサブフレーム内の所定の静的オフセット値であり得る、少なくとも２つのＰＲＢ対の初期対のサブフレーム内の位置により特徴付けられ得る。
【００３６】
いくつかの実施形態では、所定のシグナリングメカニズム(predetermined signaling mechanism)は、既存のPDCCHチャネルの共通の探索空間に送信される下り制御情報（Downlink Control Information)(DCI)メッセージを含む。あるいは、前記所定のシグナリングメカニズムは、物理制御フォーマットインジケータチャネル（physical control format indicator channel)(PCFICH)の改良された実装を経由して送信されるメッセージを含んでもよい。前記所定のシグナリングメカニズムは、加えて又は代わりに、無線リソース制御(Radio Resource Control)(RRC)シグナリングを含んでもよい。
【００３７】
実施形態において、ePDCCH送信のためのリソースを確保するステップは、所定の設定テーブル内に選択された確保スキーム（reservation scheme）に従って、リソースを確保することを含むことができる。
【００３８】
別の態様は、改良物理下り制御チャネル（enhanced physical downlink control channel)(ePDCCH)送信のために割り当てられたリソースを特定するために構成された基地局における装置を提供し、前記装置は、
物理下り共通チャネル(Physical Downlink Shared Channel)(PDSCH)送信を一般に構成されたリソース内からePDCCH送信のためのリソースを確保するように構成されるリソース確保プロセッサ（resource reservation processor）を備え、前記確保されたリソースは、無線送信データ部内の位置と前記確保されたリソースの量により特徴付けられ、
前記無線送信データ部内の位置を示す情報、及び／又は、所定のシグナリングメカニズム(predetermined signaling mechanism)を経由してユーザ機器(UE)装置へ前記確保されたリソースの量を示す情報を含むメッセージを作成するように構成されるリソース確保シグナリングプロセッサ（resource reservation signaling processor）と、
前記リソース確保シグナリングプロセッサにより作成されたメッセージを送信する送信装置と、を備える。
【００３９】
前記無線送信データ部は、サブフレームであってもよく、前記リソース確保プロセッサは、前記サブフレーム内の１以上の物理リソースブロック(physical resource block)(PRB)対を含むePDCCH送信のリソースを確保するために構成されてもよい。
【００４０】
いくつかの実施形態では、ePDCCH送信のために確保されたリソースは、前記サブフレーム内で周波数副搬送波（frequency subcarriers）の隣接するグループを占有する少なくとも２つのPRB対を含み、前記リソース確保シグナリングプロセッサは、少なくとも２つのPRB対の初期PRB対のオフセット値を示す情報、及び、前記確保されたPRB対の数を示す情報を含むメッセージを作成するように構成される。
【００４１】
いくつかの実施形態では、ePDCCH送信のために確保されたリソースは、前記サブフレーム内で周波数副搬送波（frequency subcarriers）の隣接しないグループを占有する少なくとも２つのＰＲＢ対を含み、前記リソース確保シグナリングプロセッサは、前記確保されたPRB対の数を示す情報を含むメッセージを作成するように構成される。
【００４２】
ePDCCH送信のために確保されたリソースは、前記サブフレーム内で周波数副搬送波（frequency subcarriers）の隣接するグループを占有する少なくとも２つのＰＲＢ対、及び、前記サブフレーム内で周波数副搬送波（frequency subcarriers）の隣接しないグループを占有する少なくとも２つのＰＲＢ対を含み、前記リソース確保シグナリングプロセッサは、
周波数副搬送波の隣接するグループを占有するPRB対の初期PRB対のオフセット値を示す情報、
周波数副搬送波の隣接するグループを占有するPRB対の数を示す情報、
周波数副搬送波の隣接しないグループを占有するPRB対の数を示す情報
を含むメッセージを作成するように構成される。
【００４３】
いくつかの実施形態では、前記送信装置は、既存のPDCCHチャネルの共通探索空間で送信される下り制御情報（Downlink Control Information)(DCI)メッセージ内で前記リソース確保シグナリングプロセッサにより作成されるメッセージを送信するように構成される。あるいは、前記送信装置は、物理制御フォーマットインジケータチャネル（physical control format indicator channel)(PCFICH)の改良実装を経由して前記リソース確保シグナリングプロセッサにより作成されるメッセージを送信するように構成され得る。追加オプションとして、前記送信装置は、無線リソース制御(Radio Resource Control)(RRC)シグナリングを経由して前記リソース確保シグナリングプロセッサにより作成されるメッセージを送信するように構成され得る。
【００４４】
前記装置は、ePDCCH送信のために所定のリソース確保を含む設定テーブルを格納するメモリをさらに含むとよく、前記リソース確保シグナリングプロセッサは、選択されたリソース確保と対応する設定テーブル内のエントリを示す情報を含むメッセージを作成するように構成される。
【００４５】
別の態様は、改良物理下り制御チャネル（enhanced physical downlink control channel)(ePDCCH)送信のために無線送信データ部内に割り当てられたリソースを配置する（locate）ように適応されたユーザ機器(UE)装置を提供し、前記UE装置は、
ePDCCH送信に割り当てられたリソースの無線送信部内の位置を示す情報、及び、前記確保されたリソースの量を含むメッセージを、所定のシグナリングメカニズム(predetermined signaling mechanism)を経由して、受信するように構成される受信装置と、
前記受信メッセージ内の情報に従って、前記無線送信データ部内で物理下り共通チャネル(Physical Downlink Shared Channel)(PDSCH)送信について一般に構成されたリソースの範囲内からePDCCH送信のために確保されたリソースを配置するように構成されるリソース配置プロセッサ(resource location processor)と、を備える。
【００４６】
実施形態において、前記無線送信データ部は、サブフレームであり、ePDCCH送信のために確保されたリソースは、前記サブフレーム内の１以上のPRB対を含み、前記リソース配置プロセッサは、前記サブフレーム内に前記確保されたPRB対を配置するように構成される。
【００４７】
ePDCCH送信のために確保されたリソースは、前記サブフレーム内で周波数副搬送波（frequency subcarriers）の隣接するグループを占有し、及び／又は、前記サブフレーム内で周波数副搬送波の隣接しないグループを占有する、少なくとも２つのPRB対を含むとよい。
【００４８】
実施形態において、前記受信装置は、所定のシグナリングメカニズム(predetermined signaling mechanism)を経由して、１以上の、
既存のPDCCHチャネルの共通探索空間で送信される下り制御情報（Downlink Control Information)(DCI)メッセージと、
物理制御フォーマットインジケータチャネル（physical control format indicator channel)(PCFICH)の改良実装を経由して送信されるメッセージと、
無線リソース制御(Radio Resource Control)(RRC)シグナリングを経由して送信されるメッセージと、
を含むリソース割当シグナリングメッセージを受信するように構成される。
【００４９】
前記UE装置は、ePDCCH送信のために所定のリソース確保を含む設定テーブルを格納するメモリをさらに含むとよく、
前記受信装置は、前記設定テーブル内のエントリを示す情報を含むメッセージを受信するように構成され、
前記リソース配置プロセッサは、前記受信したメッセージ内の情報と対応する設定テーブル内のエントリの内容に基づくePDCCH送信の確保されたリソースを配置するように構成される。
【００５０】
別の態様は、無線装置における方法を提供し、
前記無線装置において、無線基地局により送信される信号サブフレームを受信し、
前記無線装置により、前記受信したサブフレームのデータ領域の範囲で、制御チャネルの一部をそれぞれ含む、複数の制御チャネル構造を特定し、
前記制御チャネル構造の連結を含む、合成した（composite）制御チャネル構造を構成し、
前記無線装置により、前記無線装置を対象とした制御情報を含む制御情報構造の存在を判定するために、前記合成した制御チャネル構造を所定の探索空間で探索を行い、
前記所定の探索空間は、他の無線装置との接続に起因して前記制御情報構造へのアクセスの低いブロック可能性と組み合わせて、前記制御チャネル構造の数に拡張性を提供するように構成された探索空間集合から選択される。
【００５１】
実施形態において、前記方法は、前記制御情報構造の内容を、前記無線装置により、復号することをさらに含む。
【００５２】
前記所定の探索空間は、無線装置識別子、無線基地局識別子、及び、サブフレームインデックスの１以上によって決まるアルゴリズムに従って、探索空間の集合から選択され得る。実施形態において、前記所定の探索空間は、前記無線装置の関連付けられたアンテナポートと対応する。
【００５３】
前記所定の探索空間は、１，２，４及び８を含むグループから選択され得る複数の集約レベルを含むとよい。
【００５４】
実施形態において、複数の制御チャネル構造は、１以上の物理リソースブロック(physical resource block)(PRB)対を経由して信号サブフレーム内で送信される。前記１以上のPRB対は、単一のPRB対を含み、前記複数の制御チャネル構造は、２つの制御チャネル構造を含み、前記所定の探索空間は、１以上の集約レベルを含むと良い。代わりに、前記複数の制御チャネル構造は、４つの制御チャネル構造を含み、前記所定の探索空間は、１，２又は４の集約レベルを含んでも良い。
【００５５】
前記１以上のPRB対は、複数のPRB対を含み、複数の制御チャネル構造は、２つの制御チャネル構造を含み、前記所定の探索空間は、１，２又は４の集約レベルを含んでもよい。代わりに、複数の制御チャネル構造は、４つの制御チャネル構造を含み、前記所定の探索空間は、１、２、４又は８の集約レベルを含んでも良い。
【００５６】
いくつかの実施形態では、前記所定の探索空間は、以下の反復方程式（iterative equation）により定義されるアルゴリズムに従って、探索空間の集合から選択される。
Yk = { ( AYk-1 ) mod D } mod NeCCE
ここで、NeCCE は複数の制御チャネル構造の数であり、k はサブフレームインデックスであり、 Yk mod NeCCE は選択された探索空間を判定するインデックスであり、Ａ及びＤはＹｋが要求スペクトル特性を用いた疑似乱数列を示すように選択されたパラメータであり、Yk-1 は１以上の無線装置識別子（wireless device identifier）及び無線基地局識別子（wireless base station identifier）から導き出された種値（seed value）である。
【００５７】
前記１以上のPRB対は、前記サブフレーム内で周波数副搬送波（frequency subcarriers）の隣接するグループを占有する少なくとも２つのPRB対を含むか、又は、前記サブフレーム内で周波数副搬送波（frequency subcarriers）の隣接しないグループを占有する少なくとも２つのPRB対を含むことができる。少なくとも２つのＰＲＢ対の連続するＰＲＢ対の間に、所定の周波数副搬送波間隔を形成できる。
【００５８】
さらに別の態様は、以下を備える無線ユーザ機器（UE）装置を提供し、
無線基地局により送信された信号サブフレームを受信するように動作する受信装置と、
前記受信したサブフレームのデータ領域内で、制御チャネルの一部をそれぞれ含む複数の制御チャネル構成を特定し、
前記制御チャネル構造の連結を含む、合成した（composite）制御チャネル構造を構成し、
前記無線装置を対象とした制御情報を含む制御情報構造の存在を判定するために、前記合成した制御チャネル構造を所定の探索空間で探索を行う、
前記受信装置と機能的に関連がある通信プロセッサ（communications processor）と、を備え、
前記所定の探索空間は、他の無線装置との接続に起因して前記制御情報構造へのアクセスの低いブロック可能性と組み合わせて、前記制御チャネル構造の数に拡張性を提供するように構成された探索空間集合から選択される。
【００５９】
実施形態において、前記通信プロセッサは、前記制御情報構造の内容を復号するようにさらに構成される。
【００６０】
前記通信プロセッサは、無線装置識別子、無線基地局識別子、及び、サブフレームインデックスの１以上によって決まるアルゴリズムに従って、前記所定の探索空間が探索空間の集合から選択されるように構成され得る。
【００６１】
無線UE 装置の実施形態は、複数のアンテナポートをさらに含み、前記通信プロセッサは、前記所定の探索空間をアンテナポートの一つと関連付けるように構成される。
【００６２】
尚、さらなる態様は、複数の無線装置との通信のための無線基地局における装置を提供し、前記装置は、
無線装置へ信号サブフレームを送信するように動作する送信装置と、
探索空間の集合から選択された所定の探索空間を含む複数の連結された制御チャネル構造から成る合成した（composite）制御チャネル構造を構成し、前記探索空間は、１以上の複数の無線装置を対象とした１以上の制御情報を含み、
前記送信されたサブフレームのデータ領域内で、前記合成した制御チャネル構造の一部をそれぞれ含む複数の制御チャネル構造を構成し、
前記制御チャネル構造を含む信号サブフレームを１以上の複数の無線装置へ送信する、
前記送信装置と機能的に関連がある通信プロセッサ（communications processor）と、を備え、
前記探索空間の集合は、前記複数の無線装置間の接続に起因して前記制御情報構造へのアクセスの低いブロック可能性と組み合わせて、前記制御チャネル構造の数に拡張性を提供するように構成される。
【００６３】
前記通信プロセッサは、目的の無線装置識別子、無線基地局識別子、及び、サブフレームインデックスの１以上によって決まるアルゴリズムに従って、前記所定の探索空間が探索空間の集合から選択されるように構成され得る。
【００６４】
複数の無線装置は、それぞれ、複数のアンテナポートを含み、前記通信プロセッサは、前記所定の探索空間を目的の無線装置のアンテナポートの一つと関連付け、前記信号サブフレームの送信を当該関連付けられたアンテナポートへ向けて行うように前記送信装置を動作するように構成される。
【００６５】
本発明の更なる特徴、利益、利点は、一例としてのみ提供される後続の実施形態の記述から当業者に明らかであり、先行するいかなる明細書又は添付された請求項に定義されるような本発明の範囲を限定するために理解されるべきではない。
【発明の効果】
【００６６】
本発明によれば、１以上の上述した課題は、改善され、又は、克服される。
【図面の簡単な説明】
【００６７】
実施形態及び参考例は、符号が特徴に合うために照会する添付図面を参照して説明される。
【図１】図１は、改良された（enhanced）Node B (eNB)基地局及びLTEベースのユーザ機器(UE) 104の間のシグナリング及びデータ送信をサポートする典型的な無線通信システムを示す概略図である。
【図２】図２は、ePDCCH PRB対の指示（indication）を示す概略図である。
【図３】図３は、局部型又は分散型のePDCCH送信への要求を満たす２つの型（type）のePDCCHリソースを示す概略図である。
【図４】図４は、ePDCCHのための周波数領域ICICの例を示す。
【図５】図５は、一般化されたシグナリング構造を示す。
【図６】図６は、簡易化されたシグナリングを示す。
【図７】図７は、局部型ePDCCH送信の規定を示す概略図である。
【図８】図８は、分散型ePDCCH送信の規定を示す概略図である。
【図９】図９は、ePDCCH送信の全体の手順を示すフローチャートである。
【図１０】図１０は、ePDCCH探索空間設計を示す。
【図１１】図１１は、別のePDCCH探索空間設計を示す。
【図１２】図１２は、UEによるePDCCH内のDCIのブラインド復号を含む、無線ネットワーク内の制御シグナリング処理を示すフローチャートである。
【発明を実施するための形態】
【００６８】
図１は、改良された（enhanced）Node B (eNB)基地局及びLTEベースのユーザ機器(UE)１０４の間のシグナリング及びデータ送信をサポートする典型的な無線通信システムを示す概略図１００である。一般に、３ＧＰＰ仕様書に規定されるようなＬＴＥ方法に従って、ＵＥ１０４からｅＮＢ１０２への送信がアップリンク（ＵＬ）チャネル１０８を経由する間に、ｅＮＢ１０２からＵＥ１０４への送信は、ダウンリンク（ＤＬ）チャネル１０６を経由する。
【００６９】
ｅＮＢ１０２及びＵＥ１０４は、送信されたＬＴＥサブフレームのデータ領域内の物理下り共通チャネル(Physical Downlink Shared Channel)(PDSCH)を用いて、純粋なＦＤＭの方法で多重送信される、改良物理下り制御チャネル（enhanced physical downlink control channel)(ePDCCH)の割り当て、送信及び受信を実装するように構成される、ハードウェア及び／又はソフトウェア処理エンティティ１１０、１１２を含む。上記の内容からわかるように、この多重送信は、ePDCCH送信の代わりに使用されるPDSCHに一般に設定されるリソースの割り当てを含む。
【００７０】
ePDCCHリソースは、例えば、周波数選択性を計画する利得（gain）によりePDCCHのパフォーマンスを向上する、チャネル状態情報（channel state information)(CSI)に基づく最善のＰＲＢリソースを選択可能である、ｅＮＢ１０２のePDCCHエンティティ１１０により確保される。これは、周波数選択性が減退するような効果がePDCCHのパフォーマンス上、特別な悪影響があり得るという、局部型割当スキーム（localized allocation scheme）２０２に対して特に有利である。
【００７１】
その結果、シグナリングメカニズムは、ePDCCHリソースの割り当てをｅＮＢ１０２からＵＥ１０４へ通信するために要求される。望ましく、シグナリングメカニズムは、サブフレーム間で割り当てを変化させ得る。シグナリングメカニズムの適切な設計は、図７及び８を参照して説明されるだろう。
参考例
【００７２】
ePDCCHは、図２に示されるような局部型又は分散型スキームのいずれかに応じて割り当てられ、物理リソースブロック(physical resource block)(PRB)対の範囲内で送信されることが提案される。局部型割当スキーム２０２において、ePDCCH PRB対は、サブフレーム内で周波数副搬送波の隣接するグループの連続的なブロック２０４に確保されるが、分散型割当スキーム２０６において、ePDCCH PRB対は、サブフレーム内で周波数副搬送波の隣接しないグループ２０８に確保される。例として、隣接しないグループ２０８は、所定の周波数副搬送波間隔により相隔てられる。これは、例えば、統一された周波数間隔又は不統一の間隔であり得る。
【００７３】
さらに、割当スキーム２１０に示されるように、例えばPRB対２１２のように確保されるが使用されないePDCCHリソースは、代わりに、例えば、既存のリソース割当スキーム（例えば、Ｔｙｐｅ０、Ｔｙｐｅ１及びＴｙｐｅ２）に基づく送信のようなPDSCH 送信のために使用され得る。
図３は、局部型又は分散型のePDCCH送信への上記要求を満たす２つの型（type）のePDCCHリソースを示す概略図３００である。
・局部型送信用のＴｙｐｅＡリソース３０１は、割り当てられたＰＲＢ対の数を単位として定義される。
・分散型送信用のＴｙｐｅＢリソース３０２は、割り当てられたＰＲＢ対の数及びそれらの間で所定の間隔を単位として定義される。
この例によれば、ePDCCH PRBの位置は、Ｘ１／Ｙ１  ３０３／３０５ (ＴｙｐｅＡ  ３０１用)及び Ｘ２  ３０４(ＴｙｐｅＢ  ３０２用)により決定される。
【００７４】
パラメータＸ１／Ｘ２  ３０３／３０４は、例えば、ePDCCHのための隣接セル内の周波数領域内部セル干渉制御（ＩＣＩＣ）を提供するために採用され得る、サブフレーム内のオフセットを定義する。
【００７５】
ePDCCHのための典型的な周波数領域ＩＣＩＣは、ピコセル４０４がＡｌｍｏｓｔ  Ｂｌａｎｋ  Ｓｕｂｆｒａｍｅ（ＡＢＳ）４０６に設定されるマイクロセル４０２の範囲内に配置されるＨｅｔＮｅｔ配置シナリオ４００について、図４に示される。ピコセル４０４は、サブフレーム４０８に設定される。マイクロ及びピコセルサブフレーム４０６、４０８各々は、ePDCCHスケジューリングウィンドウ（scheduling window）４１０、４１２を割り当てている。これらのウィンドウ４１０、４１２は、ＩＣＩＣを最小化するために重複しておらず、サブフレーム４０６、４０８内のそれらのオフセットは、パラメータＸ１＿ｍａｃｒｏ及びＸ２＿ｐｉｃｏのそれぞれにより明確にされる。
【００７６】
ePDCCHスケジューリングウィンドウ４１０、４１２の範囲内で、それぞれのePDCCH割り当てのために確保されたＴｙｐｅＡ  ＰＲＢ対グループ４１４、４１６は、追加のオフセットパラメータＹ１＿ｍａｃｒｏ及びＹ２＿ｐｉｃｏにより特定される。これらのパラメータは、セル間の増加されたＩＣＩＣの関心事の範囲内で、要求に応じたマイクロ及びピコeNBにより変わり得る。例では、パラメータＸ１及びＸ２は、セルＩＤ及び／又はサブフレームインデックスに基づいて定義され得る。その上、ＴｙｐｅＡ及びＴｙｐｅＢが同じＰＲＢ対に送信される場合、及び、両方がセルＩＤ及び／又はサブフレームインデックスに基づいて定義される場合、Ｘ１及びＸ２は、ＴｙｐｅＡ及びＴｙｐｅＢの割り当てについて等しくなり得る。いくつかの例に従って、Ｘ１及びＸ２はＰＲＢのオフセット数として定義される。例では、オフセットパラメータＹ１  ３０５は、オフセットＸ１と組み合わせて使用される時に、ePDCCH (ＴｙｐｅＡ  ３０１)用に使用される第１のＰＲＢ対の正確な位置を決定する。パラメータＹ１は、シグナリングパラメータ（例えば、Ｙoffset）を経由して通信され得る。いくつかの例に従って、Ｙ１は、ＰＲＢのオフセット数として定義される。
【００７７】
一つのＰＲＢ対のみがＴｙｐｅＢリソース割当３０２に対するリソースブロックグループ（Resource Block Group)(ＲＢＧ）の範囲内で定義される。このＲＢＧの範囲内でこのＰＲＢ対の位置は、例えば、常に最低のＰＲＢインデックスを用いること、又は、セルＩＤ及び／又はサブフレームインデックスに基づくことにより、定義される。
【００７８】
記述された例によって、所定の固定間隔は、図３にパラメータＳにより示されるように、ＴｙｐｅＢ割当３０２を用いたePDCCH PRB対の間で使用される。間隔Ｓは、例えば、システム帯域幅、ePDCCH 分散型送信(distributed transmission)のために割り当てられたＰＲＢ対の数、その他に基づいて仕様書に暗黙的に定義され得る。
【００７９】
図５は、一つのＴｙｐｅＡ集合３０１及び一つのＴｙｐｅＢ集合３０２のみに割り当てを許可する、固定構造３００を拡張した、一般化されたシグナリング構造５００を示す。一般化されたスキームによれば、集合割り当て（set allocations）のリストは、ＴｙｐｅＡ又はＴｙｐｅＢのいずれかに一致させて、定義される。前記リストは、以下を備えるデータ構造を包含する。
・集合（Ｓｅｔ）がＴｙｐｅＡ又はＴｙｐｅＢのいずれであるかを示すＳｅｔ＃Ｔｙｐｅビット５０２
・ＰＲＢの位置が局部型又は分散型送信に対して割り当てられたことを示すＳｅｔ＃指示（indication）ビット５０４
【００８０】
割り当ては、サブフレームからサブフレームへ動的に変化し得る。例では、システム帯域幅によって決まり得る、以下のビット数を含む：
・ＴｙｐｅＡ：
・２−４ビット：Ｙ１を決定するため
・２−３ビット：PRB対の数
・ＴｙｐｅＢ：
・２−３ビット：PRB対の数
【００８１】
このシグナリングメカニズムは、ｅＮＢ１０２が局部型及び分散型ePDCCHの両方をサブフレームからサブフレームへ送信するために、必要とされ／割り当てられたリソースを動的に指示（indicate）できるようにする。
【００８２】
例によれば、シグナリングは、以下の方法によりＵＥ１０４へ送信され得る。
・共通探索空間内の新規な下り制御情報（Downlink Control Information)(DCI)メッセージとしての既存のＰＤＣＣＨ
・既存の物理制御フォーマットインジケータチャネル（physical control format indicator channel)(PCFICH)、すなわち、改良PCFICH (ePCFICH, 定義を要求する)と同等である新規な物理チャネル
・半静的（semi-static）ＰＲＢ割当が適正な場合、無線リソース制御(Radio Resource Control)(RRC)シグナリング経由
【００８３】
例によれば、シグナリングは、セル仕様又はＵＥ仕様として送信され、ePDCCH特性をサポートするＵＥ１０４により受信される。ＵＥ１０４のエンティティ１１２は、ＰＲＢ対がePDCCHについて指示されるかどうかを簡単に推定するように構成され、それらはPDSCH送信について利用可能ではない。必要とされたePDCCHリソースのみが指示されることに続いて、これは確保されたePDCCHリソースを最小化する。このことはePDCCHについてのリソース利用を向上させる。
【００８４】
その上、記述された例によって、ＲＢＧ内のＰＲＢ対がePDCCH送信に使用される場合、残っているＲＢＧ内のＰＲＢ対はPDSCH送信に使用される。ＵＥ１０４はPRB対のどちらがePDCCHに対して割り当てられるかを識別するため、ＵＥ１０４は、PDSCHを復号するとき、ePDCCH PRB対を読み飛ばし得る。このことはPDSCHについてのリソース利用を向上させる。図６は、上述した例によれば、簡易化されたシグナリング６００、及び、局部型ePDCCH (Type A)送信用の一つの集合６０１及び分散型送信(Type B)用の一つの集合６０２を割り当てることを示す。
【００８５】
いくつかの例において、シグナリングオーバーヘッドの減少は、例えば、表１に示されるような、所定の設定テーブルを採用することにより達成され得る。このテーブルは、５ビットを使用するＵＥ１０４へのＰＲＢ指示(indication)のための設定テーブルの例を示し、すなわち、３２設定の最大値を割り当て、この具体例ではそのうち、２４設定は定義され、８設定は確保（reserved）されている。上記の内容からわかるように、設定テーブルは、システム帯域幅に従って異なるビット数をカバーするための例に拡大され得る。
【００８６】
【表１】
0005984222.tif 000002
【００８７】
例によれば、集約レベルＬ（Ｓ(Ｌ)ｋとして定義される）を用いた、サブフレームｋに対する探索空間は、ＵＥ  ＩＤ／セルＩＤ及び／又はサブフレームインデックスによって決まる。図１０は、ＮｅＣＣＥ＝４に対してＬ＝１、２、４及び８の集約レベル（ＡＬｓ）についての探索空間候補１０００を示し、一方、図１１は、ＮｅＣＣＥ＝２に対してＬ＝１、２及び４についての探索空間候補１１００を示す。原則に従って、探索空間１０００，１１００の各集合は、前記集合とは異なる探索空間が単一の地理的地域内で異なるＵＥにより使用中である場合、低いブロック可能性と組み合わせて、割り当てられたＰＲＢ対の数に拡張性を提供するように構成されていた。
【００８８】
ＮｅＣＣＥ＝４を用いる例によれば、
・二つ以上のＰＲＢ対が使用されれば、集約レベル１，２，４及び８はサポートされ、
・一つのＰＲＢ対が使用されれば、集約レベル１，２及び４はサポートされる。
【００８９】
ＮｅＣＣＥ＝２を用いる例によれば、
・三つ以上のＰＲＢ対が使用されれば、集約レベル１，２及び４はサポートされ、
・一つのＰＲＢ対が使用されれば、集約レベル１及び２はサポートされる。
【００９０】
図１０及び図１１に示される探索空間１０００、１１００は、最小のＵＥ実装複雑性との関連のアンテナポートをサポートするために設定され、ブロック可能性が減少される。例えば、ＮｅＣＣＥ＝４についての４つの探索空間１００２、１００４、１００６、１００８、及び、ＮｅＣＣＥ＝２についての探索空間１１０２、１１０４、１１０６、１１０８は、サブフレーム番号、ＵＥ仕様情報、及び／又は、セル仕様情報に基づく疑似乱数（ＰＲ）アルゴリズムを介して選択され得る。その上、各探索空間は、ブラインド復号のために使用される初期eCCE インデックスが、ＵＥ実装を簡略化するために、対応するアンテナポートに独自に関連付けられるように、特定のアンテナポートに関連付けられ得る。これらのプロパティを有する例は、今まで以上に詳しく説明されるだろう。
【００９１】
図１０及び１１に示される例において、合成eCCEの範囲内の各eCCEは、各チャート１０００、１１００の下位部に１０１０、１１１０が示されるように、０で始まるインデックスに割り当てられる。対応するアンテナポートと共に、各サブフレームの範囲内の各ＵＥに定義される探索空間１００２−１００８，１１０２−１１０８は、以下に今まで以上に詳しく説明される例、アルゴリズムに従って特定され得る。
【００９２】
より具体的には、例に従って、図１０及び図１１に示す探索空間（Ｓ(Ｌ)ｋ）は、以下のプロパティを有する。
・ＵＥは、eCCEインデックスの開始は全ての集約レベルについて同じであるように、同じアンテナポートが探索空間内の各集約レベルのために使用されることを前提とする。
・合成eCCE内のeCCE探索空間のインデックスの開始は、既存のＰＤＣＣＨに開始ＣＣＥインデックスを決定するために用いられる方法と同様に決定されるＵＥ  ＩＤ／セルＩＤ及び／又はサブフレームインデックスに基づいている。
・開始eCCEインデックスは、ＮｅＣＣＥ＝４及びＮｅＣＣＥ＝２についての集合｛０，１，２，３｝からの値を取る。
・開始eCCEインデックスは、アンテナポート＃７から＃１０のそれぞれにも対応する。
【００９３】
例として、ＮｅＣＣＥ＝４におけるサブフレームｋについて集約レベルＬ＝１において、ePDCCHの番号Ｍ（Ｌ＝１）を監視するように構成されるＵＥを検討する。さらに、詳細に、サブフレームｋにおけるこのＵＥについて開始eCCE値が、アンテナポート＃７に対応するＹｋ＝０であることを前提とする。
【００９４】
この例において、DCIのブラインド復号についてＵＥにより探索されるために候補eCCEインデックス番号は、探索空間Ｓｋ（Ｌ＝１）により定められ、以下により定義される：
・Ｓｋ（Ｌ＝１）  ＝Ｙｋ  ＋  ｍＰ（Ｌ＝１）  ＋  ｉ
ここで、ｉ＝０、・・・、Ｌ−１（すなわち、Ｌ＝１の間、Ｉ＝０）、ｍ＝０、・・・、Ｍ(Ｌ)−１、及び、Ｐ(Ｌ)は、集約レベルＬのための候補位置間の間隔を定義し、以下により定義される：
【数１】
0005984222.tif 000003
【００９５】
上記の式は、図１０に探索空間１００２内に示される他の集約レベルＬ＝｛２，４，８｝についても適用する。同様の式は、図１０及び１１に示される探索空間１００４−１００８及び１１０２−１１０８を残すために導出もされ得ることは明らかである。これらの式は、ＵＥ内に容易に実装され得る。
【００９６】
上述の通り、パラメータＹｋは、eCCEインデックスの開始又はアンテナポート番号及び
【数２】
0005984222.tif 000004
を定義する。例において、Ｙｋは、空間及び時間を越えてＵＥ中に探索空間の割り当てを一様に分散するために、ＵＥ識別子、セル識別子、及び／又は、サブフレームインデックスｋに基づくＰＲアルゴリズムに従って決定される。いくつかの例において、Ｙｋの合成は、TS36.213の９．１．１節に表現される既存のPDCCHへ使用されるアプローチに基づくものであり、Ｙｋが以下のように表現される：
【００９７】
【数３】
0005984222.tif 000005
上記の内容からわかるように、この式は、例えば、TS36.213に定義されるように、UEに関連付けられた無線ネットワーク仮識別子（Radio Network Temporary Identifier)(RNTI)値ｎＲＮＴＩ、により取り除かれるＰＲ番号シーケンスを生成する。
【００９８】
その上、探索空間１００２に関して例の方法により説明される特定のアルゴリズムは、説明を目的としてのみである。より一般的に、探索空間１０００、１１００の適切な集合は、図１０及び１１に示される。さらに一般的にこれらの探索空間は、各UEにおける低いブロック可能性と組み合わせて、割り当てられたPRB対の数に探索空間の拡張性を提供する、それら自身の原則の実例である。
実施形態
【００９９】
設定テーブルは、表２に示すような局部型ePDCCH送信、又は、表３に示すような分散型ePDCCH送信のいずれかをサポートするために、実施形態に拡張され得る。
【０１００】
【表２】
0005984222.tif 000006
【０１０１】
【表３】
0005984222.tif 000007
【０１０２】
例えば、表２及び３により例示されるようなテーブルは、設定に対応する記録がテーブルインデックス付け（indexing）又は検索（look-up）手順により特定されるように、ｅＮＢ１０２及びＵＥ１０４のメモリに格納され得る。
【０１０３】
いくつかの実施形態によれば、ePDCCH PRB対は、以下に説明されるようなシグナリングの内容から決定され、以下のパラメータは、
ＮＤＬＲＢ：ダウンリンク帯域幅設定（又はシステム帯域幅）のために定義されるPRBの数
ＮｃｅｌｌＩＤ：物理層のセル識別子（physical layer cell identity）又は仮想的なセル識別子（virtual cell identity）
ＰＬＴｋ：ｋ番目のサブフレームに局部型ePDCCH送信のために割り当てられたPRB対の数を示すためのシグナリングパラメータ
ＰＤＴｋ：ｋ番目のサブフレームに分散型ePDCCH送信のために割り当てられたPRB対の数を示すためのシグナリングパラメータ
ＸＬＴｋ：局部型ePDCCH送信の位置を決定するための第１のオフセット
ＹＬＴｋ：局部型ePDCCH送信の位置を決定するための第２のオフセット
ＹＬＴｏｆｆｓｅｔ，ｋ：局部型ePDCCH PRBの位置のためにオフセットＹLTkを決定するためのシグナリングパラメータ
ＸＤＴｋ：分散型ePDCCH PRB対の位置を決定するためのオフセット
と定義される。
【０１０４】
局部型ePDCCH送信（Type A）の規定は、図７に示される。
ｋ番目のサブフレーム内の局部型ePDCCH 送信のためのＰＲＢ対の位置は、以下により定義される：
ＬＬＴｉ，ｋ  ＝  ＸＬＴｋ  ＋  ＹＬＴｋ  ＋  ｉ
ここで、ｉ＝０、・・・、ＰＬＴｋ−１
そして、ＸＬＴｋ  及びＹＬＴｋ  ７０２、７０４は以下により定義される：
【数４】
0005984222.tif 000008
【０１０５】
ＸＬＴｋ 及び ＹＬＴｋの計算方法は互換性があることは明らかだろう。さらに、この実施形態では、ＮＥＲＰＲＢは、ＰＲＢを単位としたePDCCH領域のサイズを意味し、システム帯域幅に基づくか、全システム帯域幅に所定の固定値として定義される。例えば、ＮＥＲＰＲＢは、ＣＳＩ通知モードPUSCH 3-1用に定義されるサブバンドサイズ又は２倍のサブバンドサイズのいずれかとして定義され得る。
【０１０６】
表４は、ＮＥＲＰＲＢを典型的な実装を示す。ＮＥＲは、ePDCCH領域の数であり、以下に定義される：
【数５】
0005984222.tif 000009
【０１０７】
【表４】
0005984222.tif 000010
【０１０８】
要約すれば、この実施形態においては：
・ＵＥへ送られる信号のパラメータはＹＬＴｏｆｆｓｅｔ，ｋ及びＰＬＴｋであり、
・仕様書に定義されるパラメータはＮＥＲＰＲＢ及びＮＥＲであり、
・ＴｙｐｅＡ用のePDCCH PRB対の位置は上述のように計算される。
【０１０９】
分散型ePDCCH送信（Type B）の規定は、統一された周波数間隔が採用される実施形態において図８に示される。
ｋ番目のサブフレーム内の分散型ePDCCH 送信のためのＰＲＢ対の位置は、以下により定義される：
【数６】
0005984222.tif 000011
ここで、ｉ＝０、・・・、ＰＤＴｋ−１
そして、ＸＤＴｋ  は以下により定義される：
【数７】
0005984222.tif 000012
ここで、Ｎｃｏｎｓは、隣接セルの中で重複していない分散型ePDCCH送信を提供する仕様書に定義される固定値であり、
【数８】
0005984222.tif 000013
である。
【０１１０】
要約すれば、この実施形態においては：
・ＵＥへ送られる信号のパラメータはＰＤＴｋであり、
・仕様書に定義されるパラメータはＮｃｏｎｓであり、
・ＴｙｐｅＢ用のePDCCH PRB対の位置は上述のように計算される。
【０１１１】
いくつかの実施形態では、例えば表３に定義されるような動的設定の一つは、ePDCCHの範囲内の共通探索空間に対するリソース割当に使用され得る。上記のような実施形態において、後続の方法の一つは、ＵＥによる設定を決定するために検討され得る：
・関連性のある設定を表示するために用いられる情報は、仕様書に定義されるような所定の設定（例えば、テーブルエントリ）に対応付けられる（mapped）、セルＩＤ及び／又はサブフレームインデックスを含み得る。及び／又は、
・関連性のある設定を表示するために用いられる情報は、マスター情報ブロック（Master Information Block)(MIB)メッセージに“追加パラメータ（additional parameter）” (TS36.331 6.2.2節)としてブロードキャストされ得る。ＵＥは、セルへアクセスするセル特定パラメータとしてこれを使用するように構成される。これは、設定値メッセージを含むことにより実行され得る。
【０１１２】
この態様を具体化する全体の手順は、図９のフローチャートによりさらに説明される。
【０１１３】
具体的には、フローチャート９００は、無線装置（すなわち、ＵＥ）との通信において、無線基地局（すなわち、ｅＮＢ）により実施される方法を説明する。ステップ９０２において、ｅＮＢは、ePDCCH割当に対するサブフレームのデータ領域の範囲内でリソース、すなわち、PRB対を確保する。ステップ９０４において、ｅＮＢは、確保されたリソースの位置を示す情報をＵＥへ送信する。前記情報は、例えば以下の１以上を含む：
・共通探索空間内で新規な下り制御情報（Downlink Control Information））DCIメッセージとして既存のPDCCH上で送信される動的位置パラメータ
・既存の物理制御フォーマットインジケータチャネル（physical control format indicator channel)(PCFICH)、すなわち、改良PCFICH (ePCFICH)と同様の新規な物理チャネル上で送信される動的位置パラメータ
・無線リソース制御(Radio Resource Control)(RRC)シグナリング経由で送信される半静的（semi-static）位置パラメータ、及び／又は、
・テーブル又は同等のものから所定の位置設定を決定又は検索するためにUEにより使用され得るセルID及び／又はサブフレームインデックス情報
【０１１４】
ステップ９０６において、UEは前記送信された情報を受信し、ePDCCHの割当のために確保されたPRB対の位置（location(s)）を決定するためにそれを用いる。  その後、ステップ９０８において、UEは前記決定された位置（location(s)）を用いてePDCCHへアクセスできる。前記議論は、適切なePDCCH探索空間の設計、及び、UEに実装される関連付けられたブラインド復号方法に向かうだろう。
【０１１５】
新たな合意によれば、eCCEは、ePDCCH上にDCIを割り当てるための最小単位であり、ePDCCHのためのDCI多重送信は、eCCE構造に基づくものである。既存のPDCCHの設計を引き継ぐために、eCCEサイズを既存のCCEのそれと同等にすること、すなわち、約３６リソース要素（Resource Elements)(REs)であるとeCCEサイズを定義することが望まれる。しかしながら、共通のeCCEサイズを有すること又は全サブフレーム及びPRB対内のeCCEと同じ数を有することは不可能である。例えば、既定のPRB対では、ePDCCH送信について利用可能なREの数は、以下を含む要因に依存して有意に変化できる：
・既存の制御領域サイズ
・サブフレームのタイプ
・共通参照信号（Common Reference Signal)(CRS) ポートの数
・チャネル状態情報（Channel State Information）RS (CSI-RS)ポートの数
・PRB内のPSS/SSS/PBCH の存在
【０１１６】
探索空間設計及び関連付けられたブラインド復号方法は、それ故、変化するeCCEサイズの存在及びeCCEサブフレームの数において効果的に動作できることが要求される。
【０１１７】
ここに記述された典型的な実施形態に応じて、eCCEがePDCCH探索空間の構築の基本単位であることによって、ePDCCHはeCCE又は複数のeCCEの集約レベルを経由して送信される。探索空間設計の主要な目的は、合成eCCEの構築後、ePDCCH内のDCIをブラインド復号するUEの手順を明確にすることである。先述の通り、後続の要因は、適切なePDCCH探索空間を定義することが考えられる：
・仕様書に暗黙的に定義されたeCCEインデックスとの関連するアンテナポートをサポートする能力
・ePDCCH送信のために割り当てられたPRB対の数に対応する能力
・PRB対の範囲内でeCCEの異なる数をサポートする能力
・ブロッキング確率及びブラインド復号の複雑性の最小化
【０１１８】
その上、図１から９を参照して上述した局部型及び分散型PRB対の割当に基づく実施形態では、以下に設定された探索空間設計原則は、局部型及び分散型送信の両方に適用可能である。
・探索空間はeCCEに基づいて定義されることになっている
・探索空間候補eCCEは局部型及び分散型送信の間で混在されない
・UEは局部型及び分散型送信の両方を同時に監視できる
【０１１９】
この態様の実施形態によれば、ePDCCHのPRB対は、eNBにより選択され、UEへ示さ（indicate）れる。PRB対の選択及び指示（indication）手順は、例えば、図１から９を参照して上述したように、実施され得る。指示手順に続いて、UEはePDCCH PRB対の位置を識別（know）する。
【０１２０】
以下の議論では、Ｍｋは、ｋ番目のサブフレームに構成されたePDCCH PRB対の数を表現する。Ｍｋの値は、ePDCCH送信に対して要求されるリソースに依存してサブフレームからサブフレームへ変化し得る。その上、実施形態によれば、ＵＥは、改良リソース要素グループ（Resource Element Group)(eREG)及び関連性のある３ＧＰＰ仕様書に設定されるeCCEの定義に基づき、サブフレームに確保されたePDCCH信号の位置も識別する。ＵＥは、ePDCCH REの対応する位置に確保された信号を抽出することにより合成eCCEを形成することもできる。
【０１２１】
ＤＣＩブラインド復号のための候補位置の数は、（ＮｅＣＣＥとして定義される）ＰＲＢ対につきeCCEの数、（Ｌｋとして定義される）サポートされた集約レベルの数、及び、（Ｍｋとして定義される）ePDCCH PRB対の数に依存する。
【０１２２】
実施形態に応じて有利に、候補探索空間（Ｓ(Ｌ)ｋ）は、ePDCCHに割り当てられたPRB対の数に対応する。これは、スケジューリング及び容量の取り扱い（handling）に関してネットワークに対してより多くの柔軟性を提供する。ＵＥにより要求されるブラインド復号の試みの結果として増加した数は、３ＧＰＰ仕様書により、ＵＥにより監視されるＰＲＢ対の所定の最大数に制限され得る。例として、表５は、ＵＥ特定探索空間（UE-specific search space)(ＵＳＳ）内のePDCCHに対して４つのPRB対を監視するように構成されたＵＥのための探索空間候補の数を示す。
【０１２３】
【表５】
0005984222.tif 000014
【０１２４】
この態様を具体化する全体の手順は、図１２のフローチャートによりさらに説明される。
【０１２５】
具体的には、フローチャート１２００は、無線装置（すなわち、ＵＥ）との通信において、無線基地局（すなわち、ｅＮＢ）により実施される方法を説明する。ePDCCHの範囲内でＤＣＩを経由してＵＥへ例えばスケジューリング情報を送信するために、eNBは、ＵＥによるブラインド復号が構成されたePDCCHの探索空間内で対応するeCCEに割り当てなければならない。eNBは、当然、ＤＣＩが送信されることになっているサブフレームインデックスと同様に、ＵＥ／セル識別(identification)(例えば、関連のあるＲＮＴＩ）を識別（know）する。ＵＥの関連のある設定及び無線チャネルの現在の状態も識別（know）する。それ故、例えば、典型的な構造１０００、１１００から要求された探索空間構造を選択するために、ＤＣＩがＵＥにより正確にブラインド復号のために割り当てられるべき範囲内に対応する探索空間を決定できる。
【０１２６】
フローチャート１２００に示されるように、関連のある探索空間構造、及び／又は、探索空間を定義するパラメータは、データベース、テーブル、又は、他の記録格納部１２０２に格納され得る。その結果、ステップ１２０４において、ｅＮＢプロセッサは、記録格納部１２０２から適切な探索空間情報を決定及び選択する。そして、ｅＮＢプロセッサは、ステップ１２０６において、合成制御チャネル構造（例えば、合成eCCE１０１０、１１１０）を構成する。一般に、eNBは、ＤＣＩを複数のＵＥへ送信する必要があり、従って、合成eCCEは、典型的に、関連付けられた探索空間構造の範囲内で１以上のＵＥを対象として複数のＤＣＩが投入されるだろう。（現在の議論の目的のために、接続／ブロックが生じないことを前提とする）
【０１２７】
ステップ１２０８において、ｅＮＢプロセッサは、複数の制御チャネル構造（例えば、eCCE）がサブフレーム内で対応するリソース要素と関連付けられる結果として、合成制御チャネル構造（例えば、合成eCCE）をサブフレームのデータ領域内で割り当てられたリソース（例えば、PRB対）に対応付ける。ステップ１２１０において、eCCEを含むePDCCHを含むサブフレームは、送信され、ステップ１２１２において、ＵＥにより受信される。
【０１２８】
ステップ１２１４において、ＵＥプロセッサは、サブフレーム内で前記受信された制御チャネル構造（例えば、eCCE）を特定し、ステップ１２１６において、ＵＥプロセッサは、合成制御チャネル構造（例えば、合成eCCE）を再構成する。ステップ１２１８において、ＵＥプロセッサは、独自の合成eCCEを作成する時にeNBにより実施されるプロセスを置き換えて、適切な探索空間情報を決定及び選択し、選択された探索空間の探索を実施することによりＤＣＩのブラインド復号を実行する。これは、ＵＥプロセッサにより復号され、かつ、取られる適切な行動を促進し得る、ＵＥを対象として任意のＤＣＩの識別につながる。
【０１２９】
特定の実施形態の前述説明は、ほんの一例として提供され、当業者に明らかであるか、ここに開示されるような一般原理から導き出せない任意の変更や修正の範囲内から除外されるべきではない。
【０１３０】
例えば、様々な実施形態において、構成されたePDCCHリソース集合／クラスタの数は、セル仕様又はＵＥ仕様であり、そして、システム帯域幅及び配置シナリオに依存してもよい。上述した実施形態において、局部型送信のための１集合及び分散型送信のための１集合は、シグナリングメカニズムを概説するために検討される。しかしながら、このことは任意の集合の数に拡張され得る。さらに、シグナリングの内容は、ePDCCH についてＵＥに動的なＰＲＢ割当をサポートするために有利に設計される。しかしながら、同じシグナリングの内容は、ＲＲＣシグナリングによりＵＥへＰＲＢ割当を半静的に示すために用いられ得る。
【０１３１】
前述したことは、あくまで順守する実例及び具体例であるが、制限されないことが理解されるべきであり、ここに開示される発明の範囲は、詳細な記述からではなく、むしろ特許法により許容される十分な広がりに従って解釈されるような請求項から判断されるべきである。ここに示され、かつ、記述される実施形態は、本発明の原理の実例となるもののみであり、当業者が発明の範囲及び主旨から離れることなく様々な修正を実装してもよい。当業者は、発明の範囲及び主旨から離れることなく様々な他の特徴の組合せを実装できる。それ故、記述された実施形態に限定されず、その範囲は追加された請求項により定義されることが理解されるべきである。
【０１３２】
＜参照による引用＞
この出願は、２０１２年９月２４日に出願されたオーストラリア仮特許出願第２０１２９０４１５７号を基礎とする優先権を主張し、その開示の全てをここに取り込む。
【符号の説明】
【０１３３】
１０２  ｅＮＢ
１０４  ＵＥ
１１２  エンティティ
２０２  局部型割当スキーム
２０４  隣接ブロック
２０６  分散型割当スキーム
２１０  割当スキーム
２１２  ＰＲＢ対
４００  ＨｅｔＮｅｔ配置シナリオ
４０４  ピコセル
４０２  マイクロセル
４０６  Ａｌｍｏｓｔ  Ｂｌａｎｋ  Ｓｕｂｆｒａｍｅ  （ＡＢＳ）
４０８  サブフレーム
４１０，４１２  ｅＰＤＣＣＨスケジューリングウィンドウ
１１００，１２００  探索空間候補
１００２，１００４，１００６，１００８，１１０２−１１０８  探索空間
【図１】
0005984222.tif 000015
【図２】
0005984222.tif 000016
【図３】
0005984222.tif 000017
【図４】
0005984222.tif 000018
【図５】
0005984222.tif 000019
【図６】
0005984222.tif 000020
【図７】
0005984222.tif 000021
【図８】
0005984222.tif 000022
【図９】
0005984222.tif 000023
【図１０】
0005984222.tif 000024
【図１１】
0005984222.tif 000025
【図１２】
0005984222.tif 000026